(57)【要約】      （修正有）【課題】  光強度検出法と光子計数法とを組み合わせてＯＴＤＲ法に基づく測定を行うことによって、長距離光ファイバと短距離光ファイバの両方の測定を可能にした光パルス試験器を提供する。【解決手段】  光強度検出モード又は光子計数モードを指定するモード指定信号を設け、このモード指定信号が光強度検出モードを指定している場合には、ＡＰＤ３のブレークダウン電圧より小さい所定の第１のＤＣ電圧がＡＰＤ３に供給されるようにするとともに光強度検出処理手段６によって被測定光ファイバの特性が求められるようにし、かつ、そのモード指定信号が光子計数モードを指定している場合には、ＡＰＤ３のブレークダウン電圧より大きい所定の第２のＤＣ電圧がＡＰＤ３に供給されるようにするとともに光子計数処理手段７によって被測定光ファイバの特性が求められるようにして、光強度検出法と光子計数法とを切り換えてＯＴＤＲ法に基づく測定が行えるようにした。【選択図】  図１
2006184038.tif 000002
【特許請求の範囲】
【請求項１】
所定のパルス幅及び所定の繰り返し周期を有するパルス信号を受け、該所定のパルス幅の光パルスを前記所定の繰り返し周期で発生して被測定光ファイバに出力する光パルス発生手段（１）と、
前記光パルスが前記被測定光ファイバに入力される毎に当該被測定光ファイバの各位置から戻ってくる戻り光を受けて光電変換するＡＰＤ（３）と、
該ＡＰＤのブレークダウン電圧より小さい所定の第１のＤＣ電圧と該ＡＰＤのブレークダウン電圧より大きい所定の第２のＤＣ電圧とを選択的に切り換えて該ＡＰＤに供給するＡＰＤバイアス電源（４）と、
前記ＡＰＤから出力される電気信号の振幅をディジタル値に変換し、該ディジタル値のデータ処理を行うことによって、前記被測定光ファイバの各位置に対応した前記戻り光の光強度から前記被測定光ファイバの特性を求める光強度検出処理手段（６）と、
前記ＡＰＤから出力される電気信号の振幅を波高弁別して計数し、その計数値のデータ処理を行うことによって、前記被測定光ファイバの各位置に対応した前記戻り光の光強度に比例した光子数の発生確率から前記被測定光ファイバの特性を求める光子計数処理手段（７）と、
光強度検出モード及び光子計数モードのいずれか一方を指定するモード指定信号を受け、該モード指定信号が光強度検出モードを指定している場合には、前記ＡＰＤバイアス電源によって前記第１のＤＣ電圧が前記ＡＰＤに供給されるようにするとともに前記光強度検出処理手段によって前記被測定光ファイバの特性が求められるようにし、かつ、前記モード指定信号が光子計数モードを指定している場合には、前記ＡＰＤバイアス電源よって前記第２のＤＣ電圧が前記ＡＰＤに供給されるようにするとともに前記光子計数処理手段によって前記被測定光ファイバの特性が求められるようにする制御手段（９）とを備えたことを特徴とする光パルス試験器。
【請求項２】
前記制御手段は、前記被測定光ファイバの所望の２つの特定距離位置で表される特定距離データを受け、該特定距離データを前記２つの特定距離位置に対応する前記光パルスの前記所定の繰り返し周期に関連づけた２つの特定時間に変換し、変換した該２つの特定時間に挟まれた時間は、前記ＡＰＤバイアス電源よって前記第２のＤＣ電圧が前記ＡＰＤに供給されるようにするとともに前記光子計数処理手段によって前記被測定光ファイバの特性が求められるようにし、かつ、前記２つの特定時間に挟まれた時間以外の時間は、前記ＡＰＤバイアス電源によって前記第１のＤＣ電圧が前記ＡＰＤに供給されるようにするとともに前記光強度検出処理手段によって前記被測定光ファイバの特性が求められるようにすることを特徴とする請求項１に記載の光パルス試験器。
【請求項３】
前記制御手段は、
前記パルス信号を発生して前記光パルス発生手段に出力するパルス信号発生手段（９ａ）と、
前記パルス信号及び前記モード指定信号を受け、該モード指定信号が光強度検出モードを指定している場合には、前記第１のＤＣ電圧が前記ＡＰＤに供給され、かつ、前記モード指定信号が光子計数モードを指定している場合には、前記第２のＤＣ電圧が前記ＡＰＤに供給されるように、前記ＡＰＤバイアス電源を前記パルス信号に基づいて制御するＡＰＤバイアス切換手段（９ｂ）と、
前記パルス信号及び前記モード指定信号を受け、該モード指定信号が光強度検出モードを指定している場合には、前記光強度検出処理手段が前記被測定光ファイバの特性を求めるために必要な第１のタイミング信号を前記パルス信号に基づいて発生して該光強度検出処理手段に出力し、かつ、該モード指定信号が光子計数モードを指定している場合には、前記光子計数処理手段が前記被測定光ファイバの特性を求めるために必要な第２のタイミング信号を前記パルス信号に基づいて発生して該光子計数処理手段に出力するタイミング信号発生手段（９ｃ）とを含むことを特徴とする請求項１に記載の光パルス試験器。
【請求項４】
前記制御手段は、更に、
前記パルス信号及び前記被測定光ファイバの所望の２つの特定距離位置で表される特定距離データを受け、該特定距離データを、前記パルス信号に基づいて、前記２つの特定距離位置に対応する前記光パルスの前記所定の繰り返し周期に関連づけた２つの特定時間に変換する特定距離／時間変換手段（９ｄ）を含み、
前記ＡＰＤバイアス切換手段は、前記特定距離／時間変換手段から前記２つの特定時間の情報を受けた場合、該２つの特定時間に挟まれた時間は、前記第２のＤＣ電圧が前記ＡＰＤに供給され、かつ、前記２つの特定時間に挟まれた時間以外の時間は、前記第１のＤＣ電圧が前記ＡＰＤに供給されるように前記ＡＰＤバイアス電源を制御し、
前記タイミング信号発生手段は、前記特定距離／時間変換手段から前記２つの特定時間の情報を受けた場合、該２つの特定時間に挟まれた時間は、前記第２のタイミング信号を発生して前記光子計数処理手段に出力し、かつ、前記２つの特定時間に挟まれた時間以外の時間は、前記第１のタイミング信号を発生して前記光強度検出処理手段に出力することを特徴とする請求項３に記載の光パルス試験器。
【請求項５】
前記制御手段は、更に、
前記光パルス発生手段から出力される光パルスのピークレベルを可変する光パルスピークレベル設定手段（９ｅ）を含むことを特徴とする請求項３又は４に記載の光パルス試験器。
【発明の詳細な説明】
【技術分野】
【０００１】
本発明は、ＯＴＤＲ（Optical Time Domain Reflectometry）法に基づいて被測定光ファイバの特性を測定する、すなわち光パルスを被測定光ファイバに入射し、その後方散乱及びフレネル反射に起因する戻り光を受光して被測定光ファイバの特性を測定する光パルス試験器に関し、特に被測定光ファイバとしての長距離光ファイバ及び短距離光ファイバの測定を可能にした光パルス試験器に関する。
【背景技術】
【０００２】
従来、ＯＴＤＲ法に基づいて被測定光ファイバの特性を測定する光パルス試験器として、被測定光ファイバの各位置に対応した戻り光の光強度を検出しその光強度変化からファイバ特性を求めるアナログ的なパワー検出法（以下適宜光強度検出法という）を用いた光パルス試験器と、微弱光が発生する離散的パルス数（光子数）が光量に比例するということを利用して、被測定光ファイバの各位置に対応した戻り光の光強度に比例した光子数を計数しその発生確率からファイバ特性を求めるフォトンカウンティング法（以下適宜光子計数法という）の光パルス試験器があった。（例えば、特許文献1参照）
【０００３】
【特許文献１】特開２００４−２１９２０３号公報
【発明の開示】
【発明が解決しようとする課題】
【０００４】
光強度検出法（アナログ的なパワー検出法）の光パルス試験器は、光強度を検出する方式であるために、大きな光パワー（すなわち広いパルス幅の光パルス）を用いた広レベル範囲の光強度の検出が可能で、小さいレベルから大きいレベルまでの検出を必要とする長距離光ファイバ（例えば数百ｋｍ）の測定には適しているが、高距離分解能を必要とする短距離光ファイバ（例えば数十ｍ）の測定には向かなかった。すなわち、光強度の検出のために光電変換を行うが、その光電変換後の電気信号の処理を行うアナログ帯域、例えば増幅器等の帯域の影響によって、光の領域での距離分解能が維持されずに悪化し、短距離光ファイバの特性を高距離分解能で測定することができなかった。アナログ帯域での影響を具体的に示すと、約１０ｃｍの距離分解能を確保するために、測定する光パルスのパルス幅を１ｎｓにしたとしても、光電変換後の増幅器の帯域が約１００ＭＨｚ程度であるために、距離分解能は、１０ｎｓのパルス幅の光パルスで測定したのと同等の約１ｍとなって悪化してしまった。
【０００５】
光子計数法（フォトンカウンティング法）の光パルス試験器は、光子数を計数する方式であるために、微弱光を用いなければならない必要性から、狭いパルス幅の光パルスを用いた高距離分解能の測定が可能で、高距離分解能を必要とする短距離光ファイバの測定には適しているが、逆に、そのために長距離光ファイバの測定には向かなかった。なお、上記において、大きな光パワーとは約−５０ｄＢｍ、微弱光とは約−７０ｄＢｍ、広いパルス幅とは約１０ｎｓ、狭いパルス幅とは約１００ｐｓ、高距離分解能とは約１ｃｍを意味する。
【０００６】
したがって、従来、光強度検出法の光パルス試験器は主に長距離光ファイバの測定に用いられ、また光子計数法の光パルス試験器は主に短距離光ファイバの高距離分解能の測定に用いられており、いずれの方式の光パルス試験器も長距離光ファイバと短距離光ファイバの両方を、その１台の光パルス試験器で測定することが出来なかった。また、光子計数法の光パルス試験器の場合には、被測定光ファイバの端末や破断点でフレネル反射が生じて、そこの位置での光子の発生確率が高くなると、後方散乱光が発生する他の位置での発生確率が相対的に下がるために、フレネル反射がない場合に比べてフレネル反射がある場合の方が、測定時間が長くかかった。このために、被測定光ファイバの後方散乱光に基づく特性を測定したいような場合にも、測定時間が長くなってしまうという問題があった。
【０００７】
本発明は、光強度検出法と光子計数法とを組み合わせてＯＴＤＲ法に基づく測定を行うことによって、これらの課題を解決し、長距離光ファイバと短距離光ファイバの両方の測定を可能にした光パルス試験器を提供することを目的としている。
【課題を解決するための手段】
【０００８】
上記課題を解決するために、本発明の請求項１の光パルス試験器では、所定のパルス幅及び所定の繰り返し周期を有するパルス信号を受け、該所定のパルス幅の光パルスを前記所定の繰り返し周期で発生して被測定光ファイバに出力する光パルス発生手段（１）と、前記光パルスが前記被測定光ファイバに入力される毎に当該被測定光ファイバの各位置から戻ってくる戻り光を受けて光電変換するＡＰＤ（３）と、該ＡＰＤのブレークダウン電圧より小さい所定の第１のＤＣ電圧と該ＡＰＤのブレークダウン電圧より大きい所定の第２のＤＣ電圧とを選択的に切り換えて該ＡＰＤに供給するＡＰＤバイアス電源（４）と、前記ＡＰＤから出力される電気信号の振幅をディジタル値に変換し、該ディジタル値のデータ処理を行うことによって、前記被測定光ファイバの各位置に対応した前記戻り光の光強度から前記被測定光ファイバの特性を求める光強度検出処理手段（６）と、前記ＡＰＤから出力される電気信号の振幅を波高弁別して計数し、その計数値のデータ処理を行うことによって、前記被測定光ファイバの各位置に対応した前記戻り光の光強度に比例した光子数の発生確率から前記被測定光ファイバの特性を求める光子計数処理手段（７）と、光強度検出モード及び光子計数モードのいずれか一方を指定するモード指定信号を受け、該モード指定信号が光強度検出モードを指定している場合には、前記ＡＰＤバイアス電源によって前記第１のＤＣ電圧が前記ＡＰＤに供給されるようにするとともに前記光強度検出処理手段によって前記被測定光ファイバの特性が求められるようにし、かつ、前記モード指定信号が光子計数モードを指定している場合には、前記ＡＰＤバイアス電源よって前記第２のＤＣ電圧が前記ＡＰＤに供給されるようにするとともに前記光子計数処理手段によって前記被測定光ファイバの特性が求められるようにする制御手段（９）とを備えた。
【０００９】
また、本発明の請求項２の光パルス試験器では、上述した請求項1の光パルス試験器において、前記制御手段は、前記被測定光ファイバの所望の２つの特定距離位置で表される特定距離データを受け、該特定距離データを前記２つの特定距離位置に対応する前記光パルスの前記所定の繰り返し周期に関連づけた２つの特定時間に変換し、変換した該２つの特定時間に挟まれた時間は、前記ＡＰＤバイアス電源よって前記第２のＤＣ電圧が前記ＡＰＤに供給されるようにするとともに前記光子計数処理手段によって前記被測定光ファイバの特性が求められるようにし、かつ、前記２つの特定時間に挟まれた時間以外の時間は、前記ＡＰＤバイアス電源によって前記第１のＤＣ電圧が前記ＡＰＤに供給されるようにするとともに前記光強度検出処理手段によって前記被測定光ファイバの特性が求められるようにした。
【００１０】
また、本発明の請求項３の光パルス試験器では、上述した請求項１の光パルス試験器において、前記制御手段は、前記パルス信号を発生して前記光パルス発生手段に出力するパルス信号発生手段（９ａ）と、前記パルス信号及び前記モード指定信号を受け、該モード指定信号が光強度検出モードを指定している場合には、前記第１のＤＣ電圧が前記ＡＰＤに供給され、かつ、前記モード指定信号が光子計数モードを指定している場合には、前記第２のＤＣ電圧が前記ＡＰＤに供給されるように、前記ＡＰＤバイアス電源を前記パルス信号に基づいて制御するＡＰＤバイアス切換手段（９ｂ）と、前記パルス信号及び前記モード指定信号を受け、該モード指定信号が光強度検出モードを指定している場合には、前記光強度検出処理手段が前記被測定光ファイバの特性を求めるために必要な第１のタイミング信号を前記パルス信号に基づいて発生して該光強度検出処理手段に出力し、かつ、該モード指定信号が光子計数モードを指定している場合には、前記光子計数処理手段が前記被測定光ファイバの特性を求めるために必要な第２のタイミング信号を前記パルス信号に基づいて発生して該光子計数処理手段に出力するタイミング信号発生手段（９ｃ）とを含むようにした。
【００１１】
また、本発明の請求項４の光パルス試験器では、上述した請求項３の光パルス試験器において、前記制御手段は、更に、前記パルス信号及び前記被測定光ファイバの所望の２つの特定距離位置で表される特定距離データを受け、該特定距離データを、前記パルス信号に基づいて、前記２つの特定距離位置に対応する前記光パルスの前記所定の繰り返し周期に関連づけた２つの特定時間に変換する特定距離／時間変換手段（９ｄ）を含み、前記ＡＰＤバイアス切換手段は、前記特定距離／時間変換手段から前記２つの特定時間の情報を受けた場合、該２つの特定時間に挟まれた時間は、前記第２のＤＣ電圧が前記ＡＰＤに供給され、かつ、前記２つの特定時間に挟まれた時間以外の時間は、前記第１のＤＣ電圧が前記ＡＰＤに供給されるように前記ＡＰＤバイアス電源を制御し、前記タイミング信号発生手段は、前記特定距離／時間変換手段から前記２つの特定時間の情報を受けた場合、該２つの特定時間に挟まれた時間は、前記第２のタイミング信号を発生して前記光子計数処理手段に出力し、かつ、前記２つの特定時間に挟まれた時間以外の時間は、前記第１のタイミング信号を発生して前記光強度検出処理手段に出力するようにした。
【００１２】
また、本発明の請求項５の光パルス試験器では、上述した請求項３又は４の光パルス試験器において、前記制御手段は、更に、前記光パルス発生手段から出力される光パルスのピークレベルを可変する光パルスピークレベル設定手段（９ｅ）を含むようにした。
【発明の効果】
【００１３】
本発明の請求項1及び３の光パルス試験器では、光強度検出モード及び光子計数モードのいずれか一方を指定するモード指定信号を設け、このモード指定信号が光強度検出モードを指定している場合には、ＡＰＤのブレークダウン電圧より小さい所定の第１のＤＣ電圧がＡＰＤに供給されるようにするとともに光強度検出処理手段によって被測定光ファイバの特性が求められるようにし、かつ、そのモード指定信号が光子計数モードを指定している場合には、ＡＰＤのブレークダウン電圧より大きい所定の第２のＤＣ電圧がＡＰＤに供給されるようにするとともに光子計数処理手段によって被測定光ファイバの特性が求められるようにしたので、光強度検出法と光子計数法とを切り換えてＯＴＤＲ法に基づく測定を行うことができる。その結果、１台の光パルス試験器で長距離光ファイバと短距離光ファイバの両方を測定することができる。
【００１４】
本発明の請求項２及び４の光パルス試験器では、被測定光ファイバの所望の２つの特定距離位置で表される特定距離データを入力し、この特定距離データをその２つの特定距離位置に対応する光パルスの所定繰り返し周期に関連づけた２つの特定時間に変換し、変換したこの２つの特定時間に挟まれた時間は、ＡＰＤのブレークダウン電圧より大きい所定の第２のＤＣ電圧がＡＰＤに供給されるようにするとともに光子計数処理手段によって被測定光ファイバの特性が求められるようにし、かつ、その２つの特定時間に挟まれた時間以外の時間は、ＡＰＤのブレークダウン電圧より小さい所定の第１のＤＣ電圧がＡＰＤに供給されるようにするとともに光強度検出処理手段によって被測定光ファイバの特性が求められるようにしたので、光強度検出法と光子計数法とを組み合わせてＯＴＤＲ法に基づく測定を行うことができる。したがって、それぞれの測定法が持っている短所（問題点）を互いに補完し合うことができる。
【００１５】
すなわち、光強度検出法で測定しているときに、アナログ帯域の影響を受けて、図４（ａ）に示すように、２つのフレネル反射光が重なって測定されるような場合、特定距離データとして距離Ｌ2、Ｌ3を入力して、この距離Ｌ2、Ｌ3の間のみを光子計数法に切り換えることによって、距離Ｌ2、Ｌ3の間から光強度検出法におけるアナログ帯域の影響を除き、図４（ｂ）に示すように、フレネル反射光が２つに分離されて高距離分解能の測定ができる。
【００１６】
また、光子計数法で測定しているときに、図５（ａ）に示すような被測定光ファイバの端末や破断点におけるフレネル反射光の影響で測定時間が長くなるような場合、特定距離データとして距離Ｌ2、Ｌ3及び距離Ｌ4、Ｌ5を入力して、距離Ｌ1、Ｌ2の間、距離Ｌ3、Ｌ4の間、距離Ｌ5、Ｌ6の間をそれぞれ光強度検出法に切り換えることによって、図５（ｂ）に示すように、フレネル反射光を除く後方散乱光のみを光子計数法で高距離分解能の測定ができ、測定時間を短くすることができる。
【００１７】
本発明の請求項５の光パルス試験器では、光パルス発生手段から出力される光パルスのピークレベルを可変できるようにしたので、短距離光ファイバのときはピークレベルを下げ、長距離光ファイバのときはピークレベルを上げて測定することができる。また、被測定光ファイバの近端を拡大して測定したい場合には、ピークレベルを下げることによって被測定光ファイバの入射端のフレネル反射を抑えることができ、その結果、被測定光ファイバの近端領域の測定が可能となる。
【発明を実施するための最良の形態】
【００１８】
本発明の実施形態の光パルス試験器の構成を図１に示す。光パルス発生手段１は、制御手段９から入力される所定のパルス幅と所定の繰り返し周期を有するパルス信号ａによって連続光をパルス変調して発生する光パルスで、かつ、そのピークレベルが制御手段９から入力されるレベル設定信号ｅによって設定された光パルスを光カプラ２に出力する。具体的には、光パルス発生手段１は、例えば図２に示すように構成されており、半導体レーザ（ＬＤ）１ａは所定波長の連続光を発振して可変減衰器１ｂに出力する。可変減衰器１ｂは、制御手段９から入力されるレベル設定信号ｅに基づいて、ＬＤ１ａからの連続光を減衰して光スイッチ１ｃに出力する。光スイッチ１ｃは、制御手段９から入力されるパルス信号ａによって、可変減衰器１ｂからの連続光をパルス変調し、得られた光パルスを光カプラ２に出力する。
【００１９】
光カプラ２は、光パルス発生手段１からの光パルスを受けて被測定光ファイバ１０に出力し、そして、この被測定光ファイバ１０の戻り光を受けて分岐し、アバランシェフォトダイオード（ＡＰＤ）３に出力する。ＡＰＤ３は、光パルスが所定の繰り返し周期で被測定光ファイバ１０に入力される毎に、この被測定光ファイバ１０の各位置から戻ってくる戻り光を受けて光電変換し、その電気信号を増幅器５に出力する。
【００２０】
ＡＰＤバイアス電源４は、制御手段９から入力されるＡＰＤバイアス切換信号ｂに基づいて、ＡＰＤ３のブレークダウン電圧（例えば６５Ｖ）より小さい所定の第１のＤＣ電圧（例えば５５Ｖ）とＡＰＤ３のブレークダウン電圧より大きい所定の第２のＤＣ電圧（例えば６６Ｖ）とを選択的に切り換えてＡＰＤ３に供給する。なお、ＡＰＤ３においては、第１のＤＣ電圧が供給されたときは、戻り光の光強度に比例した検波電流が流れ、また第２のＤＣ電圧が供給されたときは、戻り光の光子（フォトン）によってなだれ電流が発生する。
【００２１】
増幅器５は、例えば約ＤＣ〜１００ＭＨｚの帯域を有しており、ＡＰＤ３からの電気信号を増幅して光強度検出処理手段６及び光子計数処理手段７に出力する。増幅器５の帯域は、上述のように、ＯＴＤＲ法に基づく測定を光強度検出法（アナログ的なパワー検出法）で行う場合のアナログ帯域の一部を構成し、この帯域が広いほど測定の距離分解能を光の領域の距離分解能に近づけることができる。すなわち、高距離分解能にすることができる。なお、上述のＯＴＤＲ法に基づく測定を光子計数法（フォトンカウンティング法）で行う場合には、増幅の対象が離散的パルスであるため、その帯域は距離分解能には影響しない。したがって、光の領域の距離分解能が維持される。
【００２２】
光強度検出処理手段６は、制御手段９から入力される第１のタイミング信号ｃに基づいて、増幅器５からの電気信号の振幅をディジタル値に変換し、このディジタル値のデータ処理、すなわち加算平均化処理、対数変換等を行って、被測定光ファイバ１０の各位置に対応した戻り光の光強度から被測定光ファイバ１０の特性を求める。なお、光強度検出処理手段６は、上述の光強度検出法（アナログ的なパワー検出法）で測定を行う場合の処理手段となる。
【００２３】
光子計数処理手段７は、制御手段９から入力される第２のタイミング信号ｄに基づいて、増幅器５からの電気信号の振幅を波高弁別して計数し、その計数値のデータ処理、すなわち加算平均化処理、対数変換等を行って、被測定光ファイバ１０の各位置に対応した戻り光の光強度に比例した光子数の発生確率から被測定光ファイバ１０の特性を求める。なお、光子計数処理手段７は、上述の光子計数法（フォトンカウンティング法）で行う場合の処理手段となる。そして、表示手段８は、光強度検出処理手段６及び光子計数処理手段７からの被測定光ファイバ１０の特性を、横軸を距離、縦軸を損失（ｄＢ）として表示する。
【００２４】
制御手段９は、パルス信号発生手段９ａ、ＡＰＤバイアス切換手段９ｂ、タイミング信号発生手段９ｃ、特定距離／時間変換手段９ｄ及び光パルスピークレベル設定手段９ｅで構成されており、パルス信号ａ及びレベル設定信号ｅを発生して出力するとともに、操作部（図示しない）から入力されるモード指定信号（光強度検出モード又は光子計数モードを指定する）及び特定距離データ（被測定光ファイバ１０の所望の２つの特定距離位置で表される）に基づいて、ＡＰＤバイアス切換信号ｂ、第１のタイミング信号ｃ及び第２のタイミング信号ｄを発生して出力する。
【００２５】
すなわち、パルス信号発生手段９ａは、被測定光ファイバ１０の測定距離、測定の距離分解能等によってそれらの値が決められる、所定のパルス幅と所定の繰り返し周期を有するパルス信号ａを発生して光パルス発生手段１に出力する。光パルスピークレベル設定手段９ｅは、光パルス発生手段１か出力される光パルスのピークレベルを設定するためのレベル設定信号ｅを発生して光パルス発生手段１に出力する。
【００２６】
特定距離／時間変換手段９ｄは、操作部（図示しない）から被測定光ファイバ１０の所望の２つの特定距離位置で表される特定距離データが入力されたときは、この特定距離データを、パルス信号ａに基づいて、上記２つの特定距離位置に対応する光パルスａの繰り返し周期（すなわちパルス信号ａの繰り返し周期）に関連づけた２つの特定時間に変換して、ＡＰＤバイアス切換手段９ｂ、タイミング信号発生手段９ｃに出力する。具体的には、図３（ａ）に示す距離Ｌ2、Ｌ3を所望の２つの特定距離位置とすると、特定距離データとしてこの距離Ｌ2、Ｌ3を受けて、図３（ｂ）に示すように、パルスのエッジを基準とした２つの特定時間ｔ2、ｔ3に変換して出力する。
【００２７】
ＡＰＤバイアス切換手段９ｂは、操作部（図示しない）から光強度検出モードを指定するモード指定信号が入力されたときは、上述の第１のＤＣ電圧がＡＰＤ３に供給され、また光子計数モードを指定するモード指定信号が入力されたときは、上述の第２のＤＣ電圧がＡＰＤ３に供給されるように、ＡＰＤバイアス電源４を制御するためのＡＰＤバイアス切換信号ｂをパルス信号ａに基づいて発生して出力する。
【００２８】
また、特定距離／時間変換手段９ｄから２つの特定時間（図３（ｂ）に示すｔ2、ｔ3）が入力されたときは、この２つの特定時間に挟まれた時間（図３（ｂ）に示すｔ2〜ｔ3）は、第２のＤＣ電圧がＡＰＤ３に供給され、２つの特定時間に挟まれた時間以外の時間（図３（ｂ）に示すｔ1〜ｔ2、ｔ3〜ｔ4）は、第１のＤＣ電圧がＡＰＤ３に供給されるように、ＡＰＤバイアス電源４を制御するためのＡＰＤバイアス切換信号ｂをパルス信号ａに基づいて発生して出力する。
【００２９】
タイミング信号発生手段９ｃは、操作部（図示しない）から光強度検出モードを指定するモード指定信号が入力されたときは、光強度検出処理手段６が増幅器５からの電気信号を処理して被測定光ファイバ１０の特性を求めるために必要な第１のタイミング信号ｃをパルス信号ａに基づいて発生して光強度検出処理手段６に出力し、また光子計数モードを指定するモード指定信号が入力されたときは、光子計数処理手段７が増幅器５からの電気信号を処理して被測定光ファイバ１０の特性を求めるために必要な第２のタイミング信号ｄをパルス信号ａに基づいて発生して光子計数処理手段７に出力する。
【００３０】
また、特定距離／時間変換手段９ｄから２つの特定時間（図３（ｂ）に示すｔ2、ｔ3）が入力されたときは、この２つの特定時間に挟まれた時間（図３（ｂ）に示すｔ2〜ｔ3）は、第２のタイミング信号ｄを発生して光子計数処理手段７に出力し、２つの特定時間に挟まれた時間以外の時間（図３（ｂ）に示すｔ1〜ｔ2、ｔ3〜ｔ4）は、第１のタイミング信号ｃを発生して光強度検出処理手段６に出力する。
【００３１】
次に、ＯＴＤＲ法に基づく測定を光強度検出法（アナログ的なパワー検出法）、光子計数法（フォトンカウンティング法）を用いて行う場合の制御手段９の制御内容について説明する。
（１）光強度検出モードを指定するモード指定信号が入力された場合：
ＡＰＤ３にブレークダウン電圧より小さい所定の第１のＤＣ電圧が供給されるようにＡＰＤバイアス電源４を制御し、光強度検出処理手段６に第１のタイミング信号ｃを出力する。これによって光強度検出法の測定が行われる。
（２）光子計数モードを指定するモード指定信号が入力された場合：
ＡＰＤ３にブレークダウン電圧より大きい所定の第２のＤＣ電圧が供給されるようにＡＰＤバイアス電源４を制御し、光子計数処理手段７に第２のタイミング信号ｄを出力する。これによって光子計数法の測定が行われる。
【００３２】
（３）特定距離データ（２つの特定距離位置で表される）が入力された場合：
２つの特定距離位置を特定距離／時間変換手段９ｄで２つの特定時間に変換し、この２つの特定時間に挟まれた時間は、ＡＰＤ３にブレークダウン電圧より大きい所定の第２のＤＣ電圧が供給されるようにＡＰＤバイアス電源４を制御し、光子計数処理手段７に第２のタイミング信号ｄを出力する。これによって、この時間（距離）は光子計数法の測定が行われる。また、２つの特定時間に挟まれた時間以外の時間は、ＡＰＤ３にブレークダウン電圧より小さい所定の第１のＤＣ電圧が供給されるようにＡＰＤバイアス電源４を制御し、光強度検出処理手段６に第１のタイミング信号ｃを出力する。これによって、この時間（距離）は光強度検出法の測定が行われる。
【００３３】
具体例を示すと、光強度検出モード（すなわち光強度検出法）で測定して、図４（ａ）に示すような特性が得られ、距離Ｌ2、Ｌ3の間で２つのフレネル反射光が重なっているような場合には、特定距離データとして距離Ｌ2、Ｌ3を入力すると、この距離Ｌ2、Ｌ3の間以外の間（距離Ｌ1、Ｌ2の間及び距離Ｌ3、Ｌ4の間）は光強度検出法のままで、距離Ｌ2、Ｌ3の間が光子計数法に切り換えられて、図４（ｂ）に示すような２つのフレネル反射光が分離された特性となって、距離Ｌ2、Ｌ3の間を高距離分解能で測定できる。
【００３４】
また、光子計数モード（すなわち光子計数法）で測定して、図５（ａ）に示すような特性が得られ、距離Ｌ1、Ｌ2の間、距離Ｌ3、Ｌ4の間、距離Ｌ5、Ｌ6の間でそれぞれフレネル反射光が発生して測定時間が長くなるような場合には、特定距離データとして距離Ｌ2、Ｌ3及び距離Ｌ4、Ｌ5を入力すると、この距離Ｌ2、Ｌ3の間及び距離Ｌ4、Ｌ5の間は光子計数法のままで、距離Ｌ1、Ｌ2の間、距離Ｌ3、Ｌ4の間、距離Ｌ5、Ｌ6の間がそれぞれ光強度検出法に切り換えられ、その結果、光子計数モードで光子数の発生確率を測定すると、図５（ｂ）に示すようなフレネル反射光が除かれた特性となって、測定時間を短くすることができる。
【００３５】
なお、上記の実施形態では、操作部（図示しない）から特定距離データ（２つの特定距離位置で表される）が制御手段９に入力された場合、２つの特定距離位置を特定距離／時間変換手段９ｄで２つの特定時間に変換し、この２つの特定時間に挟まれた時間（すなわち２つの特定距離の間）を光子計数法で測定し、その２つの特定時間に挟まれた時間以外の時間（すなわち２つの特定距離の間以外の間）を光強度検出法で測定するようにしたが、これに限定されるわけではなく、２つの特定時間に挟まれた時間を光強度検出法で測定し、その２つの特定時間に挟まれた時間以外の時間を光子計数法で測定するようにしてもよい。すなわち、例えば、特定距離データとして、図４（ａ）に示す距離Ｌ1、Ｌ2及び距離Ｌ3、Ｌ4を入力し、この距離Ｌ1、Ｌ2の間及び距離Ｌ3、Ｌ4の間は光強度検出法で測定し、距離Ｌ2、Ｌ3の間を光子計数法で測定するようにする。
【図面の簡単な説明】
【００３６】
【図１】本発明の実施形態の構成を示す図
【図２】光パルス発生手段の構成を示す図
【図３】特定距離／時間変換手段を説明するための図
【図４】光強度検出法と特定距離データの関係を説明するための図
【図５】光子計数法と特定距離データの関係を説明するための図
【符号の説明】
【００３７】
１・・・光パルス発生手段、１ａ・・・半導体レーザ（ＬＤ）、１ｂ・・・可変減衰器、１ｃ・・・光スイッチ、２・・・光カプラ、３・・・アバランシェフォトダイオード（ＡＰＤ）、４・・・ＡＰＤバイアス電源、５・・・増幅器、６・・・光強度検出処理手段、７・・・光子計数処理手段、８・・・表示手段、９・・・制御手段、９ａ・・・パルス信号発生手段、９ｂ・・・ＡＰＤバイアス切換手段、９ｃ・・・タイミング信号発生手段、９ｄ・・・特定距離／時間変換手段、９ｅ・・・光パルスピークレベル設定手段。
【図１】
2006184038.tif 000003
【図２】
2006184038.tif 000004
【図３】
2006184038.tif 000005
【図４】
2006184038.tif 000006
【図５】
2006184038.tif 000007